(57)【要約】      （修正有）【課題】本体を容器の口頸部から離脱した後におけるタンパーエビデント裾部に対する本体の旋回を円滑に遂行することができるようになすと共に、本体をタンパーエビデント裾部から完全に分離した時にタンパーエビデント裾部に非破断接続片の一部が残留しないようになす。【解決手段】容器蓋本体４とタンパーエビデント裾部６との間の非破断接続片５０ａ、５０ｂにおける、タンパーエビデント裾部に接続されている下端部６０ａ、６０ｂを薄肉とする。【選択図】図１
2011111193.tif 000002
【特許請求の範囲】
【請求項１】
口頸部の外周面には雄螺条及び該雄螺条の下方に位置する係止あご部が形成されている容器に適用される合成樹脂製容器蓋であって、天面壁及び該天面壁の周縁から垂下する筒状スカート壁を有し、該スカート壁の内周面には該雄螺条に螺合せしめられる雌螺条が形成されている本体と、周方向に間隔をおいて配設された複数個の破断可能橋絡部を介して該本体の該スカート壁に接続され、内周面には該係止あご部に係止せしめられる係止手段が配設されている筒状タンパーエビデント裾部とを含み、該本体の該スカート壁には下方に突出する突出片が配設されており、該突出片の周方向両側には、該本体の該スカート壁と該タンパーエビデント裾部とを接続し且つ該タンパーエビデント裾部に対して該本体が上方に移動せしめられると鉛直線に対する傾斜角度が漸次減少せしめられる傾動部を有する非破断接続片が配設されている合成樹脂製容器蓋において、
該非破断接続片の一方は、該スカート壁の下端縁に接続された上端部、該上端部に続いて下方に向かって傾斜して或いは実質上水平に周方向片側に延びる第一の傾動部、中間部を介して該第一の傾動部に接続され、下方に向かって傾斜して或いは実質上水平に周方向他側に延びる第二の傾動部、該第二の傾動部を該タンパーエビデント裾部の上端縁に接続する薄肉下端部を有し、該非破断接続片の他方は、該スカート壁の下端縁に接続された上端部、該上端部に続いて下方に向かって傾斜して或いは実質上水平に該周方向他側に延びる第一の傾動部、中間部を介して該第一の傾動部に接続され、下方に向かって傾斜して或いは実質上水平に該周方向片側に延びる第二の傾動部、該第二の傾動部を該タンパーエビデント裾部の上端縁に接続する薄肉下端部を有する、ことを特徴とする合成樹脂製容器蓋。
【発明の詳細な説明】
【技術分野】
【０００１】
本発明は、天面壁及びこの天面壁の周縁から垂下するスカート壁を有する本体と周方向に間隔をおいて配設された複数個の破断可能橋絡部を介して本体のスカート壁に接続されたタンパーエビデント裾部とを含み、本体のスカート壁には下方に突出する突出片が配設され、この突出片の周方向両側には本体のスカート壁とタンパーエビデント裾部とを接続する非破断接続片が配設されている形態の合成樹脂製容器蓋に関する。
【背景技術】
【０００２】
下記特許文献１には、容器の口頸部を開封した後においても容器蓋の全体が容器から分離されることがない型のタンパーエビデント特性を備えた合成樹脂製容器蓋が開示されている。かかる合成樹脂製容器蓋は、天面壁及びこの天面壁の周縁から垂下する筒状スカート壁を有し、スカート壁の内周面には容器の口頸部に形成されている雄螺条に螺合せしめられる雌螺条が形成されている本体と、周方向に間隔をおいて配設された複数個の破断可能橋絡部を介して本体のスカート壁に接続され、内周面には容器の口頸部に形成されている係止あご部に係止せしめられる係止手段が配設されている筒状タンパーエビデント裾部とを含む。本体のスカート壁には下方に突出する突出片が配設されており、突出片の周方向両側には、本体のスカート壁とタンパーエビデント裾部とを接続し且つタンパーエビデント裾部に対して本体が上方に移動せしめられると鉛直線に対する傾斜角度が漸次減少せしめられる傾動部を有する非破断接続片が配設されている。
【先行技術文献】
【特許文献】
【０００３】
【特許文献１】特開２００８−５６２４６号公報
【発明の概要】
【発明が解決しようとする課題】
【０００４】
更に、本発明者等は、上記合成樹脂製容器蓋の改良として、先に、特願２００８−１７８２２５において、非破断接続片の各々を傾動方向が相互に逆である２個の傾斜部を含む形態にすることを提案した。更に詳しくは、非破断接続片の一方は、スカート壁の下端縁に接続された上端部、上端部に続いて下方に向かって傾斜して或いは実質上水平に周方向片側に延びる第一の傾動部、薄肉中間部を介して第一の傾動部に接続され、下方に向かって傾斜して或いは実質上水平に周方向他側に延びる第二の傾動部、第二の傾動部を該タンパーエビデント裾部の上端縁に接続する下端部を有し、非破断接続片の他方は、スカート壁の下端縁に接続された上端部、上端部に続いて下方に向かって傾斜して或いは実質上水平に該周方向他側に延びる第一の傾動部、薄肉中間部を介して第一の傾動部に接続され、下方に向かって傾斜して或いは実質上水平に周方向片側に延びる第二の傾動部、第二の傾動部を該タンパーエビデント裾部の上端縁に接続する下端部を有する形態にせしめることを提案した。
【０００５】
上記のとおりの形態の非破断接続片を含む合成樹脂製容器蓋においては、非破断接続片の各々は傾動方向が相互に逆である２個の傾斜部を含む形態である故に、単一の傾動部のみを含む場合と比べて、非破断接続片が存在する周方向寸法を増大せしめる必要なくしてタンパーエビデント裾部に対する本体の許容上昇距離が実質上２倍に増大せしめられ、口頸部から本体が離脱される際の本体の上昇距離が比較的長い場合にも適用することができる。しかしながら、本発明者等の経験によれば、かかる合成樹脂容器蓋も未だ充分に満足し得るものではなく、次のとおりの解決すべき問題が存在することが判明した。
【０００６】
第一に、消費者によっては、容器内の内容物を消費する際に、容器蓋本体をタンパーエビデント裾部から完全に分離して容器の口頸部から完全に離脱せしめることを望むこともある。この場合には非破断接続片の薄肉中間部に比較的大きな力を加えて薄肉中間部を破断し、かくして本体をタンパーエビデント裾部から完全に離脱し、容器の口頸部から完全に離脱する。この場合、強制的に破断された非破断接続片の下端部及び第二の傾動部はタンパーエビデント裾部と共に容器の口頸部に残留し、非破断接続片の下端部及び第二の傾動部はタンパーエビデント裾部の上端縁から上方に突出する。それ故に、容器の口頸部に口を付けて内容物を消費せんとすると、消費者の唇に非破断接続片の第二の傾動部が当接し、消費者に不快感を与えてしまう虞が少なくない。
【０００７】
第二に、容器の口頸部を開封するために容器蓋の本体を容器の口頸部から離脱せしめる際には、タンパーエビデント裾部に対して本体を旋回せしめることが必要であるが、剛性が比較的小さい非破断接続片の第一の傾動部と第二の傾動部とを接続している薄肉中間部を旋回中心として本体が旋回せしめられるので、本体の旋回が必ずしも充分円滑に遂行し得ない虞が少なくない。
【０００８】
本発明は上記事実に鑑みてなされたものであり、その主たる技術的課題は、消費者が非破断接続片を強制的に破断した場合に非破断接続片の実質上全体が本体と共にタンパーエビデント裾部から離脱され、従って上記第一の問題が発生することがなく、そして更にタンパーエビデント裾部に対して本体を旋回せしめる際には本体を充分円滑に旋回することができ、従って上記第二の問題もない、新規且つ改良された合成樹脂製容器蓋を提供することである。
【課題を解決するための手段】
【０００９】
本発明者等は、鋭意検討の結果、非破断接続片の各々において中間部を薄肉にすることに代えて下端部を薄肉にすることによって、上記主たる技術的課題を達成することができることを見出した。
【００１０】
即ち、本発明によれば、上記主たる技術的課題を達成する合成樹脂製容器蓋として、口頸部の外周面には雄螺条及び該雄螺条の下方に位置する係止あご部が形成されている容器に適用される合成樹脂製容器蓋であって、天面壁及び該天面壁の周縁から垂下する筒状スカート壁を有し、該スカート壁の内周面には該雄螺条に螺合せしめられる雌螺条が形成されている本体と、周方向に間隔をおいて配設された複数個の破断可能橋絡部を介して該本体の該スカート壁に接続され、内周面には該係止あご部に係止せしめられる係止手段が配設されている筒状タンパーエビデント裾部とを含み、該本体の該スカート壁には下方に突出する突出片が配設されており、該突出片の周方向両側には、該本体の該スカート壁と該タンパーエビデント裾部とを接続し且つ該タンパーエビデント裾部に対して該本体が上方に移動せしめられると鉛直線に対する傾斜角度が漸次減少せしめられる傾動部を有する非破断接続片が配設されている合成樹脂製容器蓋において、
該非破断接続片の一方は、該スカート壁の下端縁に接続された上端部、該上端部に続いて下方に向かって傾斜して或いは実質上水平に周方向片側に延びる第一の傾動部、中間部を介して該第一の傾動部に接続され、下方に向かって傾斜して或いは実質上水平に周方向他側に延びる第二の傾動部、該第二の傾動部を該タンパーエビデント裾部の上端縁に接続する薄肉下端部を有し、該非破断接続片の他方は、該スカート壁の下端縁に接続された上端部、該上端部に続いて下方に向かって傾斜して或いは実質上水平に該周方向他側に延びる第一の傾動部、中間部を介して該第一の傾動部に接続され、下方に向かって傾斜して或いは実質上水平に該周方向片側に延びる第二の傾動部、該第二の傾動部を該タンパーエビデント裾部の上端縁に接続する薄肉下端部を有する、ことを特徴とする合成樹脂製容器蓋が提供される。
【発明の効果】
【００１１】
本発明の合成樹脂製容器蓋においては、消費者が非破断接続片を強制的に破断する場合には、非破断接続片とタンパーエビデント裾部との接続領域である、非破断接続片の薄肉下端部が破断され、従って非破断接続片の実質上全体が本体と共にタンパーエビデント裾部から離脱される。また、タンパーエビデント裾部に対して本体を旋回せしめる際には、非破断接続片と充分な剛性を有するタンパーエビデント裾部との境界領域である、非破断接続片の下端部が旋回中心として機能し、従って本体の旋回を充分円滑に遂行することができる。
【図面の簡単な説明】
【００１２】
【図１】本発明に従って構成された合成樹脂製容器蓋の好適実施形態を示す正面図。
【図２】図１に図示する容器蓋を容器の口頸部に装着して口頸部を密封した状態を、一部を断面で示す正面図。
【図３】図１に図示する容器蓋の突出片を示す部分断面図。
【図４】図２に図示する状態から、口頸部を開封するために容器蓋を開方向に幾分回転せしめた状態を示す正面図。
【図５】図４に図示する状態から容器蓋を更に開方向に回転せしめて容器蓋の本体を口頸部から離脱せしめて所定位置に保持した状態を示す正面図。
【図６】図５に図示する状態から更に一対の非破断接続片の薄肉下端部を破断して、容器蓋の本体をタンパーエビデント裾部から分離した状態を示す正面図。
【発明を実施するための形態】
【００１３】
以下、本発明に従って構成された合成樹脂製容器蓋の好適実施形態を図示している添付図面を参照して、更に詳細に説明する。
【００１４】
本発明に従って構成された合成樹脂製容器蓋の好適実施形態を図示している図１及び図２を参照して説明すると、ポリエチレン又はポリプロピレンの如き適宜の合成樹脂から射出成形又は圧縮成形によって好都合に一体成形することができる、全体を番号２で示す容器蓋は、本体４とタンパーエビデント裾部６とを含んでいる。本体４は円形天面壁８とこの天面壁８の周縁から垂下する円筒形状のスカート壁１０とを有する。天面壁８の上面中央部には射出成形の際に突起が生成されるのを回避するための円形凹部１２が形成されている。天面壁８の内面には２条のシール突条、即ち内側環状突条１４及び外側環状突条１６が形成されている。スカート壁１０の外周面にはそこに掛けられる指の滑りを防止するための凹凸１８が繰り返し形成されている。スカート壁１０の内周面には雌螺条２０が形成されている。
【００１５】
タンパーエビデント裾部６は全体として円筒形状であり、周方向に間隔をおいて配設された複数個の破断可能橋絡部２６（そのうちの１個を図２に図示している）を介して本体４のスカート壁１０に接続させている。破断可能橋絡部２６は特開２００７−１９１２０６号公報に開示されている破断可能橋絡部と実質上同一でよく、上端部はスカート壁１０の内周面下端部に接続され下端部はタンパーエビデント裾部６の内周面上端部に接続されている。タンパーエビデント裾部６の内周面には係止手段３４が配設されている。図示の実施形態における係止手段３４は、周方向に間隔をおいて配設された複数個の係止片（そのうちの１個を図２に図示ししている）から構成されており、係止片の各々はタンパーエビデント裾部６の内周面から半径方向内方に傾斜して上方に延出せしめられている。
【００１６】
図示の容器蓋２における上述したとおりの構成は、本発明に従って構成された容器蓋２の新規な特徴を構成するものではなく、それ自体は周知の形態でよく、従ってこれらについての詳細な説明は本明細書においては省略する。
【００１７】
図１及び図２を参照して説明を続けると、番号４２で示す領域において、本体４のスカート壁１０の下端縁は他の領域の下端縁よりの上方に変位せしめられており、またタンパーエビデント裾部６の上端縁は他の領域の上端縁よりも下方に変位せしめられ、そして更に領域４２の中央部においてはタンパーエビデント裾部６の上端縁は更に幾分下方に変位せしめられており、スカート壁１０とタンパーエビデント裾部６との間には正面図において略横長矩形状の開口４４が生成されている。開口４４の周方向中央部において、スカート壁１０には下方に突出する略矩形状の突出片４６が形成されている。図３を参照することによって明確に理解される如く、突出片４６は実質上垂直に垂下し、次いで半径方向外方に若干変位した後に実質上鉛直に垂下しており、その外面には段部４７が形成されている。
【００１８】
図１及び図２に明確に図示するとおり、上記開口４４内には、更に、突出片４６の両側に位置する非破断接続片５０ａ及び５０ｂが配設されている。図示の実施形態における非破断接続片５０ａは、スカート壁１０の下端縁に接続された上端部５２ａ、この上端部５２ａに続いて下方に向かって周方向片側（図１及び図２において右側）に実質上水平に延びる第一の傾動部５４ａ、第一の傾動部５４ａの延出端部から若干下方に延びる中間部５６ａ、中間部５６ａに続いて下方に向かった周方向他側（図１及び図２において左側）に実質上水平に第二の傾動部５８ａ及び第二の傾動部５８ａの延出端部から若干下方に延びてタンパーエビデント裾部６に接続されている下端部６０ａから構成されている。非破断接続片５０ａにおける下端部６０ａは薄肉であること、換言すれば他の部分、即ち上端部５２ａ、第一の傾動部５４ａ、中間部５６ａ及び第二の傾動部５８ａ、と比べて肉厚が低減せしめられていることが重要である。非破断接続片５０ｂは非破断接続片５０ａと線対称形状であり、スカート壁１０の下端縁に接続された上端部５２ｂ、この上端部５２ｂに続いて下方に向かって周方向他側（図１及び図２において左側）に実質上水平に延びる第一の傾動部５４ｂ、第一の傾動部５４ｂの延出端部から若干下方に延びる中間部５６ｂ、中間部５６ｂに続いて下方に向かった周方向片側（図１及び図２において右側）に実質上水平に延びる第二の傾動部５８ｂ及び第二の傾動部５８ｂの延出端部から若干下方に延びてタンパーエビデント裾部６に接続されている下端部６０ｂから構成されている。非破断接続片５０ｂにおける下端部６０ｂは薄肉であること、換言すれば他の部分、即ち上端部５２ｂ、第一の傾動部５４ｂ、中間部５６ｂ及び第二の傾動部５８ｂ、と比べて肉厚が低減せしめられていることが重要である。非破断接続片５０ａ及び５０ｂにおける上端部５２ａ及び５２ｂ、第一の傾動部５４ａ及び５４ｂ、中間部５６ａ及び５６ｂ並びに第二の傾動部５８ａ及び５８ｂの肉厚は０．４乃至１．２ｍｍ程度で、非破断接続片５０ａ及び５０ｂにおける下端部６０ａ及び６０ｂの肉厚は０．２乃至０．４ｍｍ程度でよい。所望ならば、非破断接続片５０ａにおける第一の傾動部５４ａ及び第二の傾動部５８ａ並びに非破断接続片５０ｂにおける第一の傾動部５４ｂ及び第二の傾動部５８ｂを水平ではなくて下方に幾分傾斜して延在するようになすこともできる。
【００１９】
図２を参照して説明を続けると、ポリエチレンテレフタレートの如き適宜の合成樹脂或いはガラスから形成することができる容器の口頸部６４は全体として円筒形状であり、その上面は開口されている。口頸部６４の外周面には、雄螺条６６とこの雄螺条６６の下方に位置する係止あご部６８が形成されている。図５及び図６に図示する如く、雄螺条６６には周方向に間隔おいて通気用切欠６７が形成されている。
【００２０】
口頸部６４に容器蓋２を装着して口頸部６４を密封する際には、口頸部６４に容器蓋２を被嵌して閉方向（図２において上方から見て時計方向）に回転せしめ、口頸部６４の雄螺条６６に容器蓋２の雌螺条２０を螺合せしめる。雄螺条６６に対する雌螺条２０の螺合の進行に応じて容器蓋２は口頸部６４に対して漸次下降する。図２に図示する状態まで口頸部６４に対して容器蓋２が下降せしめられると、容器蓋２の本体４における天面壁８の内面に形成されている内側環状突条１４及び外側環状突条１６が夫々口頸部６４の内周面及び外周面に密接せしめられ、これによって口頸部６４が密封される。容器蓋２のタンパーエビデント裾部６の内周面に配設されている係止手段３４は口頸部６４の係止あご部６８を弾性的に乗り越えて、係止あご部６８の下面に係止せしめられる。
【００２１】
口頸部６４を開封する際には、容器蓋２を開方向（図２において上方から見て反時計方向）に回転せしめ、口頸部６４の雄螺条６６に対する容器蓋２の雌螺条２０の螺合を漸次解除する。螺合を漸次解除すると容器蓋２の本体４は開方向に回転せしめられると共に上昇せしめられるが、タンパーエビデント裾部６は係止手段３４が口頸部６４の係止あご部６８に係止しているので上昇が阻止され、これに起因して破断可能橋絡部２６に相当な応力が生成され、破断可能橋絡部２６が破断される。しかる後においては、容器蓋２の本体２は開方向への回転と共に上昇し、タンパーエビデント裾部６から上方に漸次離間せしめられる。図２と共に図４を参照することによって明確に理解される如く、タンパーエビデント裾部６から本体４が漸次上方に離間せしめられると、非破断接続片５０ａの第一の傾動片５４ａ及び非破断接続片５０ｂの第二の傾動部５８ｂは夫々の上端及び下端を中心として図２及び図４において時計方向に旋回、即ち時計方向に傾動され、一方非破断接続片５０ａの第二の傾動片５８ａ及び非破断接続片５０ｂの第一の傾動部５４ｂは夫々の下端及び上端を中心として図２及び図４において反時計方向に旋回、即ち反時計方向に傾動され、これに応じて非破断接続片５０ａ及び５０ｂにおける第一の傾動部５４ａ及び５４ｂ並びに第二の傾動部５８ａ及び５８ｂの鉛直線に対する傾斜角度αが漸次低減される。図２及び図４と共に図５を参照することによって明確に理解される如く、口頸部６４の雄螺条６６に対する容器蓋２の雌螺条２０の螺合が完全に解除されると、容器蓋２の本体４は口頸部６４から離脱される。しかしながら、本体４は非破断接続片５０ａ及び５０ｂを介して、口頸部６４に装着され続けているタンパーエビデント裾部６に接続され続けている故に、容器の口頸部６４から離間されることはない。
【００２２】
本発明に従って構成された容器蓋２においては、非破断接続片５０ａ及び５０ｂは傾動方向が相互に逆である２個の傾動部即ち第一の傾動部５４ａ及び第二の傾動部５８ａ並びに第一の傾動部５４ｂ及び第二の傾動部５８ｂを含んでいる故に、非破断接続片５０ａ及び５０ｂが存在する周方向寸法は比較的小さいにも拘らず、タンパーエビデント裾部６に対して本体２が相当な長さに亘って上方に離間することを許容する。従って、口頸部６４から本体２を離脱するためには本体２を相当な長さに亘って本体２を上昇せしめる必要がある場合にも、特に問題を発生せしめることなく本体２を口頸部６４から離脱することができる。
【００２３】
容器蓋２の本体４が口頸部６４から離脱された後においては、非破断接続片５０ａ及び５０ｂの薄肉下端部６０ａ及び６０ｂをヒンジ支点として本体４を口頸部６４から遠ざかる方向に、図５に図示する状態まで旋回せしめる。かくすると、本体４に形成されている突出片４６の下端部（先端部）外側面が口頸部の係止あご部６８の上面に当接し、突出片４６の外面に形成されている段部４７が係止あご部６８の上面に係止せしめられる共に、本体４のスカート壁１０の下端がタンパーエビデント裾部６の外周面に当接し、これによって本体４は図５に図示する位置に解除自在に保持される。従って、消費者は本体４の存在によって阻害されることなく、容器内に存在する清涼飲料の如き内容物を飲食することができる。薄肉下端部６０ａ及び６０ｂは非破断接続片５０ａ及び５０ｂと充分な剛性を有するタンパーエビデント裾部６との境界領域であるので、上述したとおりの本体４の旋回は充分円滑に遂行することができる。
【００２４】
内容物の飲食を途中で中断した場合には、図５に図示する位置に保持されている本体４を口頸部６４に接近する方向に旋回せしめて再び口頸部６４に被嵌し、そして容器蓋２を閉方向に回転せしめて口頸部６４の雄螺条６６に容器蓋２の雌螺条２０を螺合せしめ、かくして容器蓋２を再び図２に図示する状態に位置せしめ、口頸部６４を仮密封することができる。
【００２５】
一方、消費者が容器蓋２の本体４を口頸部６４から完全に分離せしめることを望む場合には、本体４を把持して所要方向に引っ張って非破断接続片５０ａ及び５０ｂにおける薄肉下端部６０ａ及び６０ｂに応力を加えて薄肉下端部６０ａ及び６０ｂを強制的に破断し、図６に図示する如く本体４をタンパーエビデント裾部６から分離して口頸部６２から完全に分離せしめることができる。薄肉下端部６０ａ及び６０ｂが破断されて本体４がタンパーエビデント裾部６から分離される故に、口頸部６２に非破断接続片５０ａ及び５０ｂが部分的に残留せしめられて、消費者の唇に非破断接続片５０ａ及び５０ｂの残留部が当接して消費者に不快感を与えてしまうことが確実に回避される。
【符号の説明】
【００２６】
２：容器蓋
４：本体
６：タンパーエビデント裾部
８：天面壁
１０：スカート壁
２０：雌螺条
２６：破断可能橋絡部
３４：係止手段
４６：突出片
５０ａ：非破断接続片
５０ｂ：非破断接続片
５２ａ：上端部
５２ｂ：上端部
５４ａ：第一の傾動部
５４ｂ：第二の傾動部
５６ａ：中間部
５６ｂ：中間部
５８ａ：第二の傾動部
５８ｂ：第二の傾動部
６０ａ：下端部（薄肉下端部）
６０ｂ：下端部（薄肉下端部）
６４：口頸部
６６：雄螺条
６８：係止あご部
【図１】
2011111193.tif 000003
【図２】
2011111193.tif 000004
【図３】
2011111193.tif 000005
【図４】
2011111193.tif 000006
【図５】
2011111193.tif 000007
【図６】
2011111193.tif 000008